(57)【要約】    【課題】      携帯端末装置の受信性能を課金額に反映させること。    【解決手段】  取得部３０１は、基地局装置にて記憶された携帯端末装置の受信性能情報及び送信データ量情報を取得する。参照テーブル記憶部３０２は、携帯端末装置の受信性能と課金額とを関係付けた参照テーブルを記憶する。料金判定部３０３は、取得部３０１にて取得した携帯端末装置の受信性能情報及び送信データ量と、参照テーブル記憶部３０２の保持する参照テーブルに基づき通信料金を決定する。  【選択図】      図４
2005269247.tif 000002
【特許請求の範囲】
【請求項１】
パケット通信を行う携帯端末装置の受信性能を示す受信性能情報と送信データ量を取得する取得手段と、携帯端末装置の受信性能と課金額とを関係付けた参照テーブルを記憶する参照テーブル記憶手段と、前記受信性能情報と前記参照テーブルと前記送信データ量に基づき課金額を決定する課金判定手段とを具備することを特徴とする制御局装置。
【請求項２】
前記参照テーブル記憶手段は、前記受信性能及び前記携帯端末装置の受信品質を示す受信品質情報と課金額とを関係付けた参照テーブルを記憶し、前記課金判定手段は、前記受信性能情報及び前記受信品質情報と送信データ量に基づき課金の量を決定することを特徴とする請求項１記載の制御局装置。
【請求項３】
前記参照テーブル記憶手段は、前記受信性能及びパケット通信先のコンテンツ内容と課金額とを関係付けた参照テーブルを記憶し、前記課金判定手段は、前記受信性能情報及び前記パケット通信先のコンテンツ内容と送信データ量に基づき課金額を決定することを特徴とする請求項１記載の制御局装置。
【請求項４】
前記参照テーブル記憶手段は、前記受信性能及びパケット通信先の混み具合と課金額とを関係付けた参照テーブルを記憶し、前記課金判定手段は、前記受信性能情報及び前記パケット通信先の混み具合と送信データ量に基づき課金額を決定することを特徴とする請求項１記載の制御局装置。
【請求項５】
前記参照テーブル記憶手段は、前記受信性能及びトラヒック量と課金額とを関係付けた参照テーブルを記憶し、前記課金判定手段は、前記受信性能情報及び前記トラヒック量と送信データ量に基づき課金額を決定することを特徴とする請求項１記載の制御局装置。
【請求項６】
前記参照テーブル記憶手段は、前記受信性能及びパケット通信先のコンテンツ内容と課金額とを関係付けた参照テーブルを記憶し、前記課金判定手段は、前記受信性能情報及び前記パケット通信先のコンテンツ内容と送信データ量に基づき課金額を決定することを特徴とする請求項１記載の制御局装置。
【請求項７】
前記参照テーブル記憶手段は、前記受信性能及びユーザにより予め設定された送信パワーと課金額とを関係付けた参照テーブルを記憶し、前記課金判定手段は、前記受信性能情報及び前記送信パワーと送信データ量に基づき課金額を決定することを特徴とする請求項１記載の制御局装置。
【請求項８】
前記参照テーブル記憶手段は、前記受信性能及びユーザにより予め設定された伝送レートに基づいて決定される送信パワーと課金額とを関係付けた参照テーブルを記憶し、前記課金判定手段は、前記受信性能情報及び前記送信パワーと送信データ量に基づき課金額を決定することを特徴とする請求項１記載の制御局装置。
【請求項９】
前記参照テーブル記憶手段は、前記受信性能及びユーザが予め設定した送信パワーと伝送レートに基づいて決定される送信パワーと課金額とを関係付けた参照テーブルを記憶し、前記課金判定手段は、前記受信性能情報及び前記送信パワーと送信データ量に基づき課金額を決定することを特徴とする請求項１記載の制御局装置。
【請求項１０】
前記参照テーブル記憶手段は、前記受信性能及びユーザが予め設定した料金プランに基づいて決定される送信パワーと課金額とを関係付けた参照テーブルを記憶し、前記課金判定手段は、前記受信性能情報及び前記送信パワーと送信データ量に基づき課金額を決定することを特徴とする請求項１記載の制御局装置。
【請求項１１】
基地局装置と信号の送受信を行う無線手段と、信号の変復調を行う変復調部と、自己の受信性能情報を管理する端末情報管理手段とを具備し、前記受信性能情報を基地局装置へと通知することを特徴とする携帯端末装置。
【請求項１２】
携帯端末装置と信号の送受信を行う無線手段と、信号の変復調を行う変復調手段と、携帯端末装置より送信された受信性能情報を記憶するユーザ情報管理手段と、ユーザへ送信したデータ量を記憶するデータ記憶手段とを具備し、前記ユーザ情報管理手段にて記憶した受信性能情報及び前記データ記憶手段にて記憶した送信データ量を請求項１から請求項１０のいずれかに記載の制御局装置へ出力することを特徴とする基地局装置。
【請求項１３】
請求項１から請求項１０のいずれかに記載の制御局装置と、請求項１１記載の携帯端末装置と、請求項１２記載の基地局装置とからなるパケット通信システム。
【発明の詳細な説明】
【技術分野】
【０００１】
本発明は制御局装置に関し、特にパケット通信において携帯端末装置の受信性能により課金額を決定する制御局装置に関する。
【背景技術】
【０００２】
従来、携帯電話の受信課金システムとして、携帯端末装置の受信性能等に関係なく受信した通信パケット量に応じて課金される従量課金システムがある。送信パケット量に応じた従量課金システムは、接続時間に応じて課金されるシステムと異なり、データのやり取りがなければ基本的には料金が発生しない。従って、送信パケット量に応じた従量課金システムは、長時間接続する割には通信するデータの量が少ない利用者や、通信するデータ量が少ないのに通信速度が遅いために通信時間が長くかかってしまう利用者にとっては大きなメリットが発生する。
【発明の開示】
【発明が解決しようとする課題】
【０００３】
しかしながら従来技術では、送信データ量のみに応じた従量課金であり、携帯端末装置のレシーバーの性能は課金に反映されていない。高性能レシーバーは、基地局装置のスループット向上や周波数の利用効率の改善に寄与するにも関わらず、従来のパケット通信システムでは、どのような性能のレシーバーを備えた携帯端末装置を保持していても通信料金は変わらないので、高性能レシーバーを備えた携帯端末装置を持つメリットが少ない。
【０００４】
本発明はかかる点に鑑みてなされたものであり、携帯端末装置の受信性能及び携帯端末装置での受信品質や通信先コンテンツ、トラヒック等の情報に基づいて通信料金を決定し、またユーザが予め設定しておいた料金体系、送信パワー、伝送レートを通信の都度に選択することができる制御局装置を提供することを目的とする。
【課題を解決するための手段】
【０００５】
本発明の制御局装置は、パケット通信を行う携帯端末装置の受信性能を示す受信性能情報と送信データ量を取得する取得手段と、携帯端末装置の受信性能と課金額とを関係付けた参照テーブルを記憶する参照テーブル記憶手段と、前記受信性能情報と前記参照テーブルと前記送信データ量に基づき課金額を決定する課金判定手段とを具備する構成を採る。
【０００６】
この構成によれば、受信性能の高い高性能レシーバーはパケット通信費用を安くすることが可能である。さらに高性能レシーバーを持つこと自体がユーザメリットになることから高性能レシーバーへの買い換え需要を高めることができる。
【０００７】
本発明の制御局装置は、前記参照テーブル記憶手段は、前記受信性能及び前記携帯端末装置の受信品質を示す受信品質情報と課金額とを関係付けた参照テーブルを記憶し、前記課金判定手段は、前記受信性能情報及び前記受信品質情報と送信データ量に基づき課金額を決定する構成を採る。
【０００８】
この構成によれば、携帯端末装置の受信性能のみでなく、携帯端末装置での受信品質を加味して通信料金を決定するため、高性能レシーバーのメリットを通信料金に反映することができる。
【０００９】
本発明の制御局装置は、前記参照テーブル記憶手段は、前記受信性能及びパケット通信先のコンテンツ内容と課金額とを関係付けた参照テーブルを記憶し、前記課金判定手段は、前記受信性能情報及び前記パケット通信先のコンテンツ内容と送信データ量に基づき課金額を決定する構成を採る。
【００１０】
この構成によれば、携帯端末装置の受信性能のみでなく、パケット通信先のコンテンツを加味して通信料金を決定するため、高性能レシーバーのメリットを通信料金に反映することができる。
【００１１】
本発明の制御局装置は、前記参照テーブル記憶手段は、前記受信性能及びパケット通信先の混み具合と課金額とを関係付けた参照テーブルを記憶し、前記課金判定手段は、前記受信性能情報及び前記パケット通信先の混み具合と送信データ量に基づき課金額を決定する構成を採る。
【００１２】
この構成によれば、携帯端末装置の受信性能のみでなく、コンテンツの混み具合を加味して通信料金を決定するため、高性能レシーバーのメリットを通信料金に反映することができる。
【００１３】
本発明の制御局装置は、前記参照テーブル記憶手段は、前記受信性能及びトラヒック量と課金額とを関係付けた参照テーブルを記憶し、前記課金判定手段は、前記受信性能情報及び前記トラヒック量と送信データ量に基づき課金額を決定する構成を採る。
【００１４】
この構成によれば、携帯端末装置の受信性能のみでなく、トラヒック状況を加味して通信料金を決定するため、高性能レシーバーのメリットを通信料金に反映することができる。
【００１５】
本発明の制御局装置は、前記参照テーブル記憶手段は、前記受信性能及びパケット通信先のコンテンツ内容と課金額とを関係付けた参照テーブルを記憶し、前記課金判定手段は、前記受信性能情報及び前記パケット通信先のコンテンツ内容と送信データ量に基づき課金額を決定する構成を採る。
【００１６】
この構成によれば、携帯端末装置の受信性能のみでなく、パケット通信先のコンテンツ内容を加味して通信料金を決定するため、高性能レシーバーのメリットを通信料金に反映することができる。
【００１７】
本発明の制御局装置は、前記参照テーブル記憶手段は、前記受信性能及びユーザにより予め設定された送信パワーと課金額とを関係付けた参照テーブルを記憶し、前記課金判定手段は、前記受信性能情報及び前記送信パワーと送信データ量に基づき課金額を決定する構成を採る。
【００１８】
この構成によれば、携帯端末装置の受信性能のみでなく、ユーザが予め設定した送信パワーと携帯端末装置の受信性能に基づいて決定された送信パワーを加味して通信料金を決定するため、高性能レシーバーのメリットを通信料金に反映することができる。
【００１９】
本発明の制御局装置は、前記参照テーブル記憶手段は、前記受信性能及びユーザにより予め設定された伝送レートに基づいて決定される送信パワーと課金額とを関係付けた参照テーブルを記憶し、前記課金判定手段は、前記受信性能情報及び前記送信パワーと送信データ量に基づき課金額を決定する構成を採る。
【００２０】
この構成によれば、携帯端末装置の受信性能のみでなく、ユーザが予め設定した伝送レートと携帯端末装置の受信性能に基づいて決定された送信パワーを加味して通信料金を決定するため、高性能レシーバーのメリットを通信料金に反映することができる。
【００２１】
本発明の制御局装置は、前記参照テーブル記憶手段は、前記受信性能及びユーザが予め設定した送信パワーと伝送レートに基づいて決定される送信パワーと課金額とを関係付けた参照テーブルを記憶し、前記課金判定手段は、前記受信性能情報及び前記送信パワーと送信データ量に基づき課金額を決定する構成を採る。
【００２２】
この構成によれば、携帯端末装置の受信性能のみでなく、ユーザが予め設定した伝送レート及び送信レートを加味して通信料金を決定するため、高性能レシーバーの保有者は、多くの送信パワー、伝送レートを選択することができ、ユーザ自由度を高めることができる。
【００２３】
本発明の制御局装置は、前記参照テーブル記憶手段は、前記受信性能及びユーザが予め設定した料金プランに基づいて決定される送信パワーと課金額とを関係付けた参照テーブルを記憶し、前記課金判定手段は、前記受信性能情報及び前記送信パワーと送信データ量に基づき課金額を決定する構成を採る。
【００２４】
この構成によれば、携帯端末装置の受信性能のみでなく、ユーザが予め設定した料金プランを加味して通信料金を決定するため、高性能レシーバーの保有者は、通信料金を選択することができ、ユーザ自由度を高めることができる。
【００２５】
本発明の携帯端末装置は、基地局装置と信号の送受信を行う無線手段と、信号の変復調を行う変復調部と、自己の受信性能情報を管理する端末情報管理手段とを具備し、前記受信性能情報を基地局装置へと通知する構成を採る。
【００２６】
この構成によれば、自己の受信性能を基地局装置へと通知することにより、受信性能を課金額に反映させることができ、高性能レシーバーの保有者にとってはメリットとなるため、高性能レシーバーを有する携帯端末装置への買い換えを促進することができる。
【００２７】
本発明に基地局装置は、携帯端末装置と信号の送受信を行う無線手段と、信号の変復調を行う変復調手段と、携帯端末装置より送信された受信性能情報を記憶するユーザ情報管理手段と、ユーザへ送信したデータ量を記憶するデータ記憶手段とを具備し、前記ユーザ情報管理手段にて記憶した受信性能情報及び前記データ記憶手段にて記憶した送信データ量を前記制御局装置へ出力する構成を採る。
【００２８】
この構成によれば、携帯端末装置より送信された受信性能情報及び送信データ量を記憶し、制御局装置へ出力することができるため、携帯端末装置の受信性能を課金額に反映することができる。
【００２９】
本発明のパケット通信システムは、前記制御局装置と、前記携帯端末装置と、前記基地局装置とからなる構成を採る。
【００３０】
この構成によれば、携帯端末装置の受信性能に基づいて課金額を決定することにより、通信料金に高性能レシーバーを備えた携帯端末装置を持つメリットを反映させることができる。
【発明の効果】
【００３１】
本発明によれば、携帯端末装置のレシーバーの性能を通信料金に反映することにより、高性能レシーバーへの買い換え需要を高めることができる。さらに、高性能レシーバーが普及することにより、基地局装置の送信パワーの軽減、スループットの向上を図ることができる。
【発明を実施するための最良の形態】
【００３２】
本発明の骨子は、携帯端末装置の受信性能及び携帯端末装置での受信品質や通信先コンテンツ、トラヒック等の情報に基づいて課金を決定することにより、通信料金に高性能レシーバーを備えた携帯端末装置を持つメリットを反映させることである。
【００３３】
以下、本発明の実施の形態について図面を参照して詳細に説明する。
【００３４】
（実施の形態１）
図１は、本発明の実施の形態１に係るパケット通信システムを示す。図１に示すパケット通信システムは、自己の受信性能を通知する携帯端末装置１００と、携帯端末装置の受信性能及び送信データ量を記憶する基地局装置２００と、基地局装置に記憶された携帯端末装置の受信性能及び送信データ量を取得し、予め決められたテーブルに基づき通信料金を決定する制御局装置３００とを具備する。なお、ここで携帯端末装置とは、携帯電話やＰＨＳ、ＰＤＡ等である。
【００３５】
図２は、本発明の実施の形態１に係る携帯端末装置１００の構成を示すブロック図である。
【００３６】
携帯端末装置１００は、無線部１０１と、復調部１０２と、受信制御部１０３と、ＣＰＵ１０４と、送信制御部１１０と、変調部１１１と、から主に構成される。ＣＰＵ１０４は、端末情報管理部１０５と、データ表示部１０６と、データ入出力部１０７と、データ記憶部１０８と、データ処理部１０９から構成される。
【００３７】
無線部１０１は、基地局装置２００と信号を送受信する。復調部１０２は、受信した信号を復調し、受信制御部１０３へ出力する。受信制御部１０３は、ＣＲＣチェックや誤り訂正を行い、ＣＰＵ１０４へ出力する。端末情報管理部１０５は、携帯端末装置１００の受信性能を管理する。データ表示部１０６は、受信したデータを表示する。データ入出力部１０７は、音声データや画像データの入出力処理を行う。データ記憶部１０８は、データの書き込み／読み出しやメモリ管理を行う。データ処理部１０９は、基地局装置２００に送信するデータを処理する。送信制御部１１０は、ＣＰＵ１０４から出力されたデータに対し、データチェックのためのＣＲＣ及びデータエラーを訂正する誤り訂正ビットを付加し、変調部１１１へ出力する。変調部１１１は、基地局装置２００に送信するデータを変調し、無線部１０１へ出力する。
【００３８】
携帯端末装置１００は、電源ＯＮ後セルサーチを行う際に、端末情報管理部１０５で管理する受信性能情報を変調部１１１で変調し、無線部１０１から基地局装置２００へ送信する。
【００３９】
ここで携帯端末装置の受信性能情報とは、携帯端末装置の型式や携帯端末装置メーカー、ＨＳＤＰＡ対応機であるか否か等の情報である。
【００４０】
図３は、本発明の実施の形態１に係る基地局装置２００の構成を示すブロック図である。
【００４１】
基地局装置２００は、無線部２０１と、復調部２０２と、受信制御部２０３と、ＣＰＵ２０４と、送信制御部２０８と、変調部２０９とから主に構成される。ＣＰＵ２０４は、ユーザ情報管理部２０５と、データ記憶部２０６と、データ処理部２０７から構成される。
【００４２】
無線部２０１は、携帯端末装置１００からの受信性能情報を受信し、復調部２０２へ出力する。復調部２０２は、受信した携帯端末装置１００の受信性能情報を復調し、受信制御部２０３へ出力する。受信制御部２０３は、ＣＲＣチェックや誤り訂正を行い、ＣＰＵ２０４へ出力する。ユーザ情報管理部２０５は、携帯端末装置１００の受信性能を管理する。データ記憶部２０６は、送信データ量を記憶する。データ処理部２０７は、携帯端末装置１００に送信するデータを処理する。送信制御部２０８は、ＣＰＵ２０４から出力された送信データに対し、データチェックのためのＣＲＣ及びデータエラーを訂正する誤り訂正ビットを付加し、変調部２０９へ出力する。変調部２０９は携帯端末装置１００に送信するデータを変調し、無線部２０１へ出力する。
【００４３】
図４は、本発明の実施の形態１に係る制御局装置３００の構成を示すブロック図である。
【００４４】
制御局装置３００は、取得部３０１と、参照テーブル記憶部３０２と料金判定部３０３とから主に構成される。
【００４５】
取得部３０１は、ＣＰＵ２０４にて記憶された携帯端末装置１００の受信性能情報及び送信データ量情報を取得する。参照テーブル記憶部３０２は、図５に示す受信性能と課金とを関係付けた参照テーブルを有する。料金判定部３０３は、参照テーブル記憶部３０２の保持するテーブルに基づき通信料金を判定する。
【００４６】
次いで、上記構成を有する制御局装置３００の動作について、図６に示す通信料金決定のフロー図を用いて説明する。
【００４７】
携帯端末装置１００と基地局装置２００間で通信が開始されると（Ｓ６０１）、取得部３０１はユーザ情報管理部２０５に管理された携帯端末装置１００のレシーバー受信性能情報及びデータ記憶部２０６に記憶された送信データ量を取得し（Ｓ６０２）、参照テーブル記憶部３０２で記憶するレシーバーの受信性能と通信料金とを関係付けた参照テーブルに基づいて通信料金を判定する（Ｓ６０３）。高性能レシーバーであれば通信料金を安くし、非高性能レシーバーであれば、高性能レシーバーに比べて通信料金を高くする。
【００４８】
ここで、高性能レシーバーとは、受信ダイバーシチ、イコライザー、キャンセラー等を用いて、同じ信号を受信した時、高い性能で復号できるレシーバーを言う。また、４倍高性能とは、通常に比べて同じ信号を受信した時、４倍高い性能で復号できるレシーバーを言う。
【００４９】
そして、携帯端末装置１００と基地局装置２００間の通信が終了すると、制御局装置３００での動作も終了する（Ｓ６０４）。
【００５０】
このように、本実施の形態１のパケット通信システムによれば、受信性能の高い高性能レシーバーはパケット通信費用を安くすることが可能である。さらに高性能レシーバーを持つこと自体がユーザメリットになることから高性能レシーバーへの買い換え需要を高めることができる。
【００５１】
（実施の形態２）
次に、本発明の実施の形態２のパケット通信システムを図７から図１０を用いて説明する。本実施の形態は、携帯端末装置の受信性能のみに基づいて料金を決定するのではなく、携帯端末装置の受信性能と携帯端末装置での受信品質に基づいて通信料金を算出する点が、実施の形態１とは相違している。
【００５２】
図７は本発明の実施の形態２に係る携帯端末装置７００の構成を示すブロック図である。
【００５３】
携帯端末装置７００は、前記実施の形態１の携帯端末装置１００に対して、受信レベル検出部７０２とＣＱＩ判定部７０３とからなる無線制御部７０１を備えている。なお、図７において図２と同一符号を付けたものは同一名称、同一機能を有するため説明を省略する。
【００５４】
無線制御部７０１は、受信制御部１０３より受信信号を受けとる。受信レベル検出部７０２は、受信レベルとして信号電力比対干渉波電力比ＳＩＲを検出する。ＣＱＩ判定部７０３は、検出した受信レベルより通信路品質インジケータＣＱＩ値を判定する。無線制御部７０１は、判定したＣＱＩ値を送信制御部１１０へ出力する。
【００５５】
ここで受信品質を決定する手段として信号電力対干渉電力比ＳＩＲ値を用いたが、本発明はこれに限ったものではなく、それ以外の受信品質情報を用いて受信品質を決定してもよい。
【００５６】
図８は、本発明の実施の形態２に係る基地局装置８００の構成を示すブロック図である。
【００５７】
図８に示す基地局装置８００は、前記実施の形態１の基地局装置２００に対して、ＣＱＩ判定部８０２と変調種別・送信パワー設定部８０３からなる無線制御部８０１を備えている。なお、図８において図３と同一符号を付けたものは同一名称、同一機能を有するため説明を省略する。
【００５８】
無線制御部８０１は、受信したＣＱＩ値を受信制御部２０３より受けとる。ＣＱＩ判定部８０２は受信したＣＱＩ値を判定する。変調種別・送信パワー設定部８０３は変調方式・送信電力を設定する。無線制御部８０１は、ＣＱＩ判定部８０２で判定したＣＱＩ値をＣＰＵ２０４に出力する。ユーザ情報管理部２０５は、無線制御部８０１より出力されたＣＱＩ値を管理する。また、無線制御部８０１は、設定した変調方式・送信電力を送信制御部２０８へ出力する。
【００５９】
次いで、通信料金決定のフローについて、図９に示すレシーバーの受信性能と携帯端末装置での受信品質と通信料金とを関係付けた参照テーブル及び図１０に示す料金判定のフロー図を用いて説明する。ここで、Ｓ６０１からＳ６０４の動作については実施の形態１と同一であるため説明を省略する。
【００６０】
本実施の形態では、参照テーブル記憶部３０２は図９に示すレシーバーの受信性能とレシーバーでの受信品質とを関係付けた参照テーブルを有する。料金判定部３０３は携帯端末装置の受信性能だけでなく、携帯端末装置での受信品質を判定し（Ｓ１００１）、通信料金に反映する。高性能レシーバーであれば、受信品質が良好の場合は１／４の通信料金、受信品質が通常の場合は１／２の通信料金、受信品質が劣悪の場合は通常の通信料金が課金される。
【００６１】
このように、本実施の形態２のパケット通信システムによれば、携帯端末装置の受信性能のみでなく、携帯端末装置での受信品質を加味して通信料金を決定することで、高性能レシーバーのメリットを通信料金に反映することができる。
【００６２】
（実施の形態３）
次に、本発明の実施の形態３のパケット通信システムを図１１から図１３を用いて説明する。本実施の形態は、携帯端末装置の受信性能のみに基づいて料金を決定するのではなく、携帯端末装置の受信性能とパケット通信先のコンテンツ（内容）に基づいて通信料金を算出する点が、実施の形態１とは相違している。
【００６３】
図１１は、本発明の実施の形態３に係る基地局装置１１００の構成を示すブロック図である。
【００６４】
基地局装置１１００は、前記実施の形態２の基地局装置８００に対して、コンテンツ内容判定部１１０２を付加した無線制御部１１０１を備えている。なお、図１１において図８と同一符号を付けたものは同一名称、同一機能を有するため説明を省略する。
【００６５】
コンテンツ内容判定部１１０２は、ダウンロード先１１０３からコンテンツの内容を判定する。無線制御部１１０１は、コンテンツ内容判定部１１０２で判定したコンテンツ内容をＣＰＵ２０４へ出力する。ユーザ情報管理部２０５は、無線制御部１１０１より出力されたコンテンツ内容を管理する。
【００６６】
次いで、通信料金決定のフローについて、図１２に示すレシーバーの受信性能と伝送レートと通信料金とを関係付けた参照テーブル及び図１３に示す料金判定のフロー図を用いて説明する。ここで、Ｓ６０１からＳ６０４の動作については実施の形態１と同一であるため説明を省略する。
【００６７】
本実施の形態では、参照テーブル記憶部３０２は図１２に示すレシーバーの受信性能と伝送レートと通信料金とを関係付けた参照テーブルを有する。取得部３０１は、コンテンツ内容判定部１１０２で判定した情報を読み出し（Ｓ１３０１）、リアルタイム性のコンテンツか非リアルタイム性のコンテンツかを判定する（Ｓ１３０２）。リアルタイム性を求めるコンテンツの場合は、伝送レートを高く設定し（Ｓ１３０３）、非リアルタイム性のコンテンツの場合は、伝送レートを低く設定する（Ｓ１３０４）。設定した伝送レートに基づいて送信パワーを決定する（Ｓ１３０５）。次に携帯端末装置の受信性能を判定する（Ｓ１３０６）。リアルタイム性の情報（伝送レートを高く）を受信したい場合、高性能レシーバーであれば、通信料金を安く（Ｓ１３０７）、または通常料金で課金し、非高性能レシーバーであれば、高性能レシーバーに比べ、送信パワーを大きくする等が必要となるため、より高く課金する（Ｓ１３０８）。
【００６８】
以上説明したように，本実施の形態によれば，携帯端末装置の受信性能のみでなく、パケット通信先のコンテンツを加味して通信料金を決定することで、高性能レシーバーのメリットを通信料金に反映することができる。
【００６９】
（実施の形態４）
次に、本発明の実施の形態４のパケット通信システムを図１４、図１５を用いて説明する。本実施の形態は、携帯端末装置の受信性能のみに基づいて料金を決定するのではなく、携帯端末装置の受信性能とコンテンツの混み具合に基づいて通信料金を算出する点が、実施の形態１とは相違している。
【００７０】
図１４は、本発明の実施の形態４に係る基地局装置１４００の構成を示すブロック図である。
【００７１】
基地局装置１４００は前記実施の形態２の基地局装置８００に対して、コンテンツ混み判定部１４０２を付加した無線制御部１４０１を備えている。なお、図１４において図８と同一符号を付けたものは同一名称、同一機能を有するため説明を省略する。
【００７２】
コンテンツ混み判定部１４０２は、パケット送信先１４０３からコンテンツの混み具合を判定する。無線制御部１４０１は、コンテンツ混み判定部１４０２で判定したコンテンツ混み具合情報をＣＰＵ２０４へ出力する。ユーザ情報管理部２０５は、無線制御部１４０１より出力されたコンテンツ混み具合情報を管理する。
【００７３】
次いで、通信料金決定のフローについて、図１５に示す料金判定のフロー図を用いて説明する。ここで、Ｓ６０１からＳ６０４の動作については実施の形態１と同一であるため説明を省略する。
【００７４】
取得部３０１は、コンテンツ混み判定部１４０２で判定したコンテンツの混み具合情報を取得し（Ｓ１５０１）、コンテンツの混み具合を判定する（Ｓ１５０２）。コンテンツが混み合っていない場合は、伝送レートを高く設定し（Ｓ１５０３）、コンテンツが混み合っている場合は、伝送レートを低く設定する（Ｓ１５０４）。次に携帯端末装置の受信性能を判定する（Ｓ１５０５）。高性能レシーバーであれば、通信料金を安く（Ｓ１５０６）、または通常料金で課金し、非高性能レシーバーであれば、高性能レシーバーに比べ、送信パワーを大きくする等が必要となるため、より高く課金する（Ｓ１５０７）。
【００７５】
以上説明したように，本実施の形態によれば，携帯端末装置の受信性能のみでなく、コンテンツの混み具合を加味して通信料金を決定することで、高性能レシーバーのメリットを通信料金に反映することができる。
【００７６】
（実施の形態５）
次に、本発明の実施の形態５のパケット通信システムを図１６、図１７を用いて説明する。本実施の形態は、携帯端末装置の受信性能のみに基づいて料金を決定するのではなく、携帯端末装置の受信性能とトラヒックの多さに基づいて通信料金を算出する点が、実施の形態１とは相違している。
【００７７】
図１６は、本発明の実施の形態５に係る基地局装置１６００の構成を示すブロック図である。
【００７８】
基地局装置１６００は前記実施の形態２の基地局装置８００に対して、トラヒック状況判定部１６０２を付加した無線制御部１６０１を備えている。なお、図１６において図８と同一符号を付けたものは同一名称、同一機能を有するため説明を省略する。
【００７９】
トラヒック状況判定部１６０２は、トラヒック状況を判定する。無線制御部１６０１は、トラヒック状況判定部１６０２で判定したトラヒック状況情報をＣＰＵ２０４へ出力する。ユーザ情報管理部２０５は、無線制御部１６０１より出力されたトラヒック状況情報を管理する。
【００８０】
次いで、通信料金決定のフローについて、図１７に示す料金判定のフロー図を用いて説明する。ここで、Ｓ６０１からＳ６０４の動作については実施の形態１と同一であるため説明を省略する。
【００８１】
取得部３０１は、トラヒック状況判定部１６０２で判定したトラヒック状況の情報を取得し（Ｓ１７０１）、トラヒック状況を判定する（Ｓ１７０２）。トラヒックが少なく、高速での送信が可能な時は伝送レートを高く設定する（Ｓ１７０３）。トラヒックが多く高速での送信が不可能な時は伝送レートを低く設定する（Ｓ１７０４）。
【００８２】
次に携帯端末装置の受信性能を判定する（Ｓ１７０５）。高性能レシーバーであれば、通信料金を安く（Ｓ１７０６）、または通常料金で課金し、非高性能レシーバーであれば、高性能レシーバーに比べ、送信パワーを大きくする等が必要となるため、より高く課金する（Ｓ１７０７）。
【００８３】
以上説明したように，本実施の形態によれば，携帯端末装置の受信性能のみでなく、トラヒック状況を加味して通信料金を決定することで、高性能レシーバーのメリットを通信料金に反映することができる。
【００８４】
（実施の形態６）
次に、本発明の実施の形態６のパケット通信システムを図１８、図１９を用いて説明する。本実施の形態は、携帯端末装置の受信性能のみに基づいて料金を決定するのではなく、携帯端末装置の受信性能とユーザが予め設定した送信パワーとに基づいて通信料金を算出する点が、実施の形態１とは相違している。
【００８５】
図１８は、本発明の実施の形態６に係る基地局装置１８００の構成を示すブロック図である。
【００８６】
基地局装置１８００は、前記実施の形態２の基地局装置８００に対して、送信パワー設定判定部１８０２を付加した無線制御部１８０１備えている。なお、図１８において図８と同一符号を付けたものは同一名称、同一機能を有するため説明を省略する。
【００８７】
送信パワー設定判定部１８０２は、ユーザが予め設定した送信パワーを判定する。無線制御部１８０１は、送信パワー設定判定部１８０２で判定した送信パワー設定情報をＣＰＵ２０４へ出力する。ユーザ情報管理部２０５は、無線制御部１８０１より出力された送信パワー設定情報を管理する。
【００８８】
次いで、通信料金決定のフローについて、図１９に示す料金判定のフロー図を用いて説明する。ここで、Ｓ６０１からＳ６０４の動作については実施の形態１と同一であるため説明を省略する。
【００８９】
取得部３０１は、ユーザ情報管理部２０５で記憶したユーザが予め設定した送信パワー設定情報を取得し（Ｓ１９０１）、取得した送信パワー設定情報に基づき、送信パワーを決定する（Ｓ１９０２）。次に、携帯端末装置の受信性能を判定する（Ｓ１９０３）。ユーザが送信パワーを高く設定している場合、高性能レシーバーであれば２倍の送信パワーを設定し（Ｓ１９０４）、非高性能レシーバーであれば４倍の送信パワーを設定する（Ｓ１９０５）。また、ユーザが送信パワーを低く設定している場合、高性能レシーバーであれば１／４倍の送信パワーを設定し（Ｓ１９０６）、非高性能レシーバーであれば１／２倍の送信パワーを設定する（Ｓ１９０７）。設定された送信パワーに応じて通信料金を判定する。
【００９０】
以上説明したように，本実施の形態によれば，携帯端末装置の受信性能のみでなく、ユーザが予め設定した送信パワーと携帯端末装置の受信性能に基づいて決定された送信パワーを加味して通信料金を決定することで、高性能レシーバーのメリットを通信料金に反映することができる。
【００９１】
（実施の形態７）
次に、本発明の実施の形態７のパケット通信システムを図２０、図２１を用いて説明する。本実施の形態は、携帯端末装置の受信性能のみに基づいて料金を決定するのではなく、携帯端末装置の受信性能とユーザが予め設定した伝送レートとに基づいて通信料金を算出する点が、実施の形態６とは相違している。
【００９２】
図２０は、本発明の実施の形態７に係る基地局装置２０００の構成を示すブロック図である。
【００９３】
基地局装置２０００は、前記実施の形態２の基地局装置８００に対して、伝送レート設定判定部２００２を付加した無線制御部２００１を備えている。なお、図２０において図８と同一符号を付けたものは同一名称、同一機能を有するため説明を省略する。
【００９４】
伝送レート設定判定部２００２は、ユーザが予め設定した伝送レートを判定する。無線制御部２００１は、伝送レート設定判定部２００２で判定した伝送レート設定情報をＣＰＵ２０４へ出力する。ユーザ情報管理部２０５は、無線制御部２００１より出力された送信パワー設定情報を管理する。
【００９５】
次いで、通信料金決定のフローについて、図２１に示す料金判定のフロー図を用いて説明する。ここで、Ｓ６０１からＳ６０４の動作については実施の形態１と同一であるため説明を省略する。
【００９６】
取得部３０１は、ユーザ情報管理部２０５で記憶したユーザが予め設定した伝送レート設定情報を取得する（Ｓ２１０１）。取得した伝送レート設定情報に基づき、伝送レートを決定する（Ｓ２１０２）。次に、携帯端末装置の受信性能を判定する（Ｓ２１０３）。ユーザが伝送レートを高く設定している場合、高性能レシーバーであれば２倍の送信パワーを設定し（Ｓ２１０４）、非高性能レシーバーであれば４倍の送信パワーを設定する（Ｓ２１０５）。また、ユーザが伝送レートを低く設定している場合、高性能レシーバーであれば１／４倍の送信パワーを設定し（Ｓ２１０６）、非高性能レシーバーであれば１／２倍の送信パワーを設定する（Ｓ２１０７）。設定された送信パワーに応じて通信料金を判定する。
【００９７】
以上説明したように，本実施の形態によれば，携帯端末装置の受信性能のみでなく、ユーザが予め設定した伝送レートと携帯端末装置の受信性能に基づいて決定された送信パワーを加味して通信料金を決定することで、高性能レシーバーのメリットを通信料金に反映することができる。
【００９８】
（実施の形態８）
次に、本発明の実施の形態８のパケット通信システムを図２２、図２３、図２４を用いて説明する。本実施の形態は、携帯端末装置の受信性能のみに基づいて料金を決定するのではなく、携帯端末装置の受信性能とユーザが予め設定した送信パワー及び伝送レートとに基づいて通信料金を算出する点が、実施の形態６及び実施の形態７とは相違している。
【００９９】
図２２は、本発明の実施の形態８に係る基地局装置２２００の構成を示すブロック図である。
【０１００】
基地局装置２２００は、前記実施の形態２の基地局装置８００に対して、送信パワー設定判定部２２０２と伝送レート設定判定部２２０３を付加した無線制御部２２０１を備えている。なお、図２２において図８と同一符号を付けたものは同一名称、同一機能を有するため説明を省略する。
【０１０１】
送信パワー設定判定部２２０２は、ユーザが予め設定した送信パワーを判定する。伝送レート設定判定部２２０３は、ユーザが予め設定した伝送レートを判定する。無線制御部２２０１は、送信パワー設定判定部２２０２で判定した送信パワー設定情報と伝送レート設定判定部２２０３で判定した伝送レート設定情報をＣＰＵ２０４へ出力する。ユーザ情報管理部２０５は、出力された送信パワー設定情報と伝送レート設定情報を記憶する。
【０１０２】
次いで、通信料金決定のフローについて、図２３、図２４に示す料金判定のフロー図を用いて説明する。ここで、Ｓ６０１からＳ６０４の動作については実施の形態１と同一であるため説明を省略する。
【０１０３】
取得部３０１は、ユーザ情報管理部２０５で記憶したユーザが予め設定した送信パワー設定情報と伝送レート設定情報を取得する（Ｓ２３０１）。取得した伝送レート設定情報に基づき、伝送レートを決定する（Ｓ２３０２）。伝送レートを決定後（Ｓ２３０３、Ｓ２３０４）、取得した送信パワー設定情報に基づき、送信パワーの大小を決定する（Ｓ２３０５）。次に、携帯端末装置の受信性能を判定する（Ｓ２３０６）。最後に、ユーザが予め設定した伝送レート及び送信パワーの大小とレシーバーの性能に基づき、送信パワーが設定される（Ｓ２３０７〜Ｓ２３１４）。設定された送信パワーに基づき、通信料金が決定される。
【０１０４】
以上説明したように、本実施の形態によれば，携帯端末装置の受信性能のみでなく、ユーザが予め設定した伝送レート及び送信レートを加味して通信料金を決定することで、高性能レシーバーの保有者は、多くの送信パワー、伝送レートを選択することができ、ユーザ自由度を高めることができる。
【０１０５】
（実施の形態９）
次に、本発明の実施の形態９のパケット通信システムを図２５、図２６、図２７、図２８を用いて説明する。本実施の形態は、携帯端末装置の受信性能とユーザが予め設定した送信パワー及び伝送レートとに基づいて通信料金を算出するのではなく、ユーザが予め料金プランを設定し、設定された料金プランに応じて、送信パワー及び（または）伝送レートを決定する点が、実施の形態８とは相違している。
【０１０６】
図２５は、本発明の実施の形態９に係る基地局装置２４００の構成を示すブロック図である。
【０１０７】
基地局装置２４００は、前記実施の形態２の基地局装置８００に対して、料金プラン判定部２４０２を付加した無線制御部２４０１を備えている。なお、図２５において図８と同一符号を付けたものは同一名称、同一機能を有するため説明を省略する。
【０１０８】
料金プラン判定部２４０２は、ユーザが予め設定した料金プランを判定する。無線制御部２４０１は、料金プラン判定部で判定した料金プラン情報をＣＰＵ２０４へ出力する。ユーザ情報管理部２０５は、出力された料金プラン情報を記憶する。
【０１０９】
次いで、通信料金決定のフローについて、図２６、図２７に示す料金判定のフロー図を用いて説明する。ここで、Ｓ６０１からＳ６０４の動作については実施の形態１と同一であるため説明を省略する。
【０１１０】
取得部３０１は、ユーザ情報管理部２０５で管理する料金プラン情報を取得する。（Ｓ２５０１）。取得した料金プラン情報に基づき送信パワー及び伝送レートが設定される（Ｓ２５０２〜Ｓ２５０５）。具体的には、図２８に示すように、ユーザが高い料金プランを設定している場合、高い送信パワー、高い伝送レートが設定される。逆に、ユーザが低い料金プランを設定している場合、低い送信パワー、低い伝送レートが設定される。
【０１１１】
次に、レシーバーの性能を判定し（Ｓ２５０６）、送信パワーが設定される（Ｓ２５０７〜Ｓ２５１４）。設定された送信パワーに基づき、通信料金が決定される。
【０１１２】
以上説明したように，本実施の形態によれば，携帯端末装置の受信性能のみでなく、ユーザが予め設定した料金プランを加味して通信料金を決定することで、高性能レシーバーの保有者は、通信料金を選択することができ、ユーザ自由度を高めることができる。
【０１１３】
（実施の形態１０）
次に、本発明の実施の形態１０のパケット通信システムを図２９、図３０、図３１を用いて説明する。本実施の形態は、携帯端末装置の受信性能とユーザが予め設定した送信パワー及び伝送レートとに基づいて通信料金を算出するのではなく、基地局装置が通信速度に関し、いくつかの選択肢を用意し、携帯端末装置に送信する。ユーザは選択肢の中から受信したい通信速度を選択し、選択された通信速度と携帯端末装置の受信性能によって送信パワー及び（または）伝送レートを決定し、通信料金を課金する点が相違している。
【０１１４】
図２９は、本発明の実施の形態１０に係る基地局装置２７００の構成を示すブロック図である。
【０１１５】
基地局装置２７００は、前記実施の形態２の基地局装置８００に対して、料金テーブル作成部２７０２を付加したＣＰＵ２７０１を備えている。なお、図２９において図８と同一符号を付けたものは同一名称、同一機能を有するため説明を省略する。
【０１１６】
料金テーブル作成部２７０２は、携帯端末装置から受信したＣＱＩ値からいくつかの通信速度を列挙し、通信速度とパケット通信するコンテンツの情報量から通信時間を算出し、例えば図３０に示すような料金テーブルを作成する。作成された料金テーブルは、携帯端末装置へ送信される。
【０１１７】
図３１は、本発明の実施の形態１０に係る携帯端末装置２９００の構成を示すブロック図である。
【０１１８】
携帯端末装置２９００は、前記実施の形態２の携帯端末装置７００に対して、表示部２９０１と、操作部２９０２を備えている。なお、図３１において図７と同一符号を付けたものは同一名称、同一機能を有するため説明を省略する。
【０１１９】
表示部２９０１は、基地局装置２７００より送信された料金テーブルを表示する。操作部２９０２は、表示された料金テーブルからユーザが通信速度及び（または）通信時間及び（または）通信料金を選択し、決定することを可能とする。
【０１２０】
決定された通信速度及び（または）通信時間及び（または）通信料金基地局装置へ送信され、選択された通信速度及び（または）通信時間及び（または）通信料金で通信を行うことができるように、送信パワーや伝送レートを設定する。課金は、選択された通信料金で行われる。
【０１２１】
以上説明したように，本実施の形態によれば，ユーザは選択肢の中から受信したい通信速度を選択し、選択された通信速度と携帯端末装置の受信性能によって通信料金を決定するので、ユーザ自由度を高めることができる。
【産業上の利用可能性】
【０１２２】
本発明によれば、携帯端末装置のレシーバーの性能を通信料金に反映することにより、高性能レシーバーへの買い換え需要を高めることができる。さらに、高性能レシーバーが普及することにより、基地局装置の送信パワーの軽減、スループットの向上を図ることができる。
【図面の簡単な説明】
【０１２３】
【図１】本発明の実施の形態１に係るパケット通信システム
【図２】本発明の実施の形態１に係る携帯端末装置の構成を示すブロック図
【図３】本発明の実施の形態１に係る基地局装置の構成を示すブロック図
【図４】本発明の実施の形態１に係る制御局装置の構成を示すブロック図
【図５】受信性能と課金とを関係付けた参照テーブル
【図６】本発明の実施の形態１に係る通信料金決定のフロー図
【図７】本発明の実施の形態２に係る携帯端末装置の構成を示すブロック図
【図８】本発明の実施の形態２に係る基地局装置の構成を示すブロック図
【図９】携帯端末装置の受信性能及び受信品質と課金とを関係付けた参照テーブル
【図１０】本発明の実施の形態２に係る通信料金決定のフロー図
【図１１】本発明の実施の形態３に係る基地局装置の構成を示すブロック図
【図１２】携帯端末装置の受信性能及び伝送レートと課金とを関係付けた参照テーブル
【図１３】本発明の実施の形態３に係る料金決定のフロー図
【図１４】本発明の実施の形態４に係る基地局装置の構成を示すブロック図
【図１５】本発明の実施の形態４に係る料金決定のフロー図
【図１６】本発明の実施の形態５に係る基地局装置の構成を示すブロック図
【図１７】本発明の実施の形態５に係る料金決定のフロー図
【図１８】本発明の実施の形態６に係る基地局装置の構成を示すブロック図
【図１９】本発明の実施の形態６に係る料金決定のフロー図
【図２０】本発明の実施の形態７に係る基地局装置の構成を示すブロック図
【図２１】本発明の実施の形態７に係る料金決定のフロー図
【図２２】本発明の実施の形態８に係る基地局装置の構成を示すブロック図
【図２３】本発明の実施の形態８に係る料金決定のフロー図
【図２４】本発明の実施の形態８に係る料金決定のフロー図
【図２５】本発明の実施の形態９に係る基地局装置の構成を示すブロック図
【図２６】本発明の実施の形態９に係る料金決定のフロー図
【図２７】本発明の実施の形態９に係る料金決定のフロー図
【図２８】料金プランと送信パワー及び伝送レートを関係付けたテーブル
【図２９】本発明の実施の形態１０に係る基地局装置の構成を示すブロック図
【図３０】受信に要する時間と課金とを関係付けた料金テーブル
【図３１】本発明の実施の形態１０に係る携帯端末装置の構成を示すブロック図
【符号の説明】
【０１２４】
１００  携帯端末装置
１０１  無線部
１０２  復調部
１０３  受信制御部
１０４  ＣＰＵ
１０５  端末情報管理部
１０６  データ表示部
１０７  データ入出力部
１０８  データ記憶部
１０９  データ処理部
１１０  送信制御部
１１１  変調部
２００  基地局装置
２０１  無線部
２０２  復調部
２０３  受信制御部
２０４  ＣＰＵ
２０５  ユーザ情報管理部
２０６  データ記憶部
２０７  データ処理部
３００  制御局装置
３０１  取得部
３０２  参照テーブル記憶部
３０３  料金判定部
７０１  無線制御部
７０２  受信レベル検出部
７０３  ＣＱＩ判定部
８０１  無線制御部
８０２  ＣＱＩ判定部
８０３  変調種別・送信パワー設定部
１１０２  コンテンツ内容判定部
１４０２  コンテンツ混み判定部
１６０２  トラヒック状況判定部
１８０２  送信パワー設定判定部
２００２  伝送レート設定判定部
２４０２  料金プラン判定部
２７０２  料金テーブル作成部
２９０１  表示部
２９０２  操作部
【図１】
2005269247.tif 000003
【図２】
2005269247.tif 000004
【図３】
2005269247.tif 000005
【図４】
2005269247.tif 000006
【図５】
2005269247.tif 000007
【図６】
2005269247.tif 000008
【図７】
2005269247.tif 000009
【図８】
2005269247.tif 000010
【図９】
2005269247.tif 000011
【図１０】
2005269247.tif 000012
【図１１】
2005269247.tif 000013
【図１２】
2005269247.tif 000014
【図１３】
2005269247.tif 000015
【図１４】
2005269247.tif 000016
【図１５】
2005269247.tif 000017
【図１６】
2005269247.tif 000018
【図１７】
2005269247.tif 000019
【図１８】
2005269247.tif 000020
【図１９】
2005269247.tif 000021
【図２０】
2005269247.tif 000022
【図２１】
2005269247.tif 000023
【図２２】
2005269247.tif 000024
【図２３】
2005269247.tif 000025
【図２４】
2005269247.tif 000026
【図２５】
2005269247.tif 000027
【図２６】
2005269247.tif 000028
【図２７】
2005269247.tif 000029
【図２８】
2005269247.tif 000030
【図２９】
2005269247.tif 000031
【図３０】
2005269247.tif 000032
【図３１】
2005269247.tif 000033